(57)【要約】      （修正有）【課題】歯科用メンブレンなどの被穿孔物を穿孔するとき、被穿孔物を固定できる器具を提供する。【解決手段】本開示の固定器具１は、第１部位２１及び第２部位２２を有しており被穿孔物を第１部位と第２部位との間に挟んで固定する固定部２と、第１部位を貫通しており穿孔器具の穿孔部が挿入される第１孔３と、を備える。穿孔器具セットは、固定器具と、第１孔に挿入される穿孔部を備える穿孔器具と、を備える。穿孔部は、第１端から第２端にかけて延びる形状であるとともに、第１切刃と、第１切刃よりも第２端側の外周部に位置しており長手方向に沿って延びている第２切刃と、を有する。【選択図】図１
2019063171.tif 000002
【特許請求の範囲】
【請求項１】
第１部位及び第２部位を有しており被穿孔物を前記第１部位と前記第２部位との間に挟んで固定する固定部と、
前記第１部位を貫通しており穿孔器具の穿孔部が挿入される第１孔と、を備える、固定器具。
【請求項２】
前記第２部位に位置しており前記穿孔部が挿入される第２孔、を更に備える、請求項１に記載の固定器具。
【請求項３】
前記第１部位及び前記第２部位のうち少なくとも一方に位置している前記第１孔の位置決め部、を更に備える、請求項１又は２に記載の固定器具。
【請求項４】
前記被穿孔物が、歯科用メンブレンである、請求項１〜３のいずれかに記載の固定器具。
【請求項５】
請求項１〜４のいずれかに記載の固定器具と、
前記第１孔に挿入される穿孔部を備える穿孔器具と、を備え、
前記穿孔部は、第１端から第２端にかけて延びる形状であるとともに、第１切刃と、前記第１切刃よりも前記第２端側の外周部に位置しており長手方向に沿って延びている第２切刃と、を有する、穿孔器具セット。
【請求項６】
前記第１切刃が、前記第１端と前記外周部との交線部に位置している、請求項５に記載の穿孔器具セット。
【請求項７】
前記第１端が、平面である、請求項５又は６に記載の穿孔器具セット。
【請求項８】
前記第２切刃が、前記第１切刃から離れて位置している、請求項５〜７のいずれかに記載の穿孔器具セット。
【請求項９】
前記穿孔部が、前記第２切刃を複数有する、請求項５〜８のいずれかに記載の穿孔器具セット。
【請求項１０】
前記穿孔器具が、前記穿孔部の断面積よりも面積が大きい端部を有しており前記端部において前記第２端側に接続しているグリップ、を更に備える、請求項５〜９のいずれかに記載の穿孔器具セット。
【発明の詳細な説明】
【技術分野】
【０００１】
本開示は、固定器具及び穿孔器具セットに関する。
【背景技術】
【０００２】
穿孔器具を使用して被穿孔物を穿孔することがある。例えば、歯科分野におけるＧＴＲ（Guided Tissue Regeneration）及びＧＢＲ（Guided Bone Regeneration）で使用されるチタンメッシュなどの歯科用メンブレンは、通常、その縁部がスクリューで固定された状態で使用される（例えば、非特許文献１参照）。そのため、歯科用メンブレンの縁部には、スクリューを挿通させる孔が穿孔器具によって穿孔される。歯科用メンブレンなどの被穿孔物を穿孔するとき、被穿孔物を固定できる器具があれば便利である。
【先行技術文献】
【非特許文献】
【０００３】
【非特許文献１】“チタンマイクロメッシュ”、［online］、株式会社インプラテックス、［平成２９年９月２０日検索］、インターネット＜URL:http://itx.co.jp/product/detail.php?id=454＞
【発明の概要】
【０００４】
本開示の固定器具は、第１部位及び第２部位を有しており被穿孔物を前記第１部位と前記第２部位との間に挟んで固定する固定部と、前記第１部位を貫通しており穿孔器具の穿孔部が挿入される第１孔と、を備える。
【０００５】
本開示の穿孔器具セットは、上述した本開示に係る固定器具と、前記第１孔に挿入される穿孔部を備える穿孔器具と、を備える。前記穿孔部は、第１端から第２端にかけて延びる形状であるとともに、第１切刃と、前記第１切刃よりも前記第２端側の外周部に位置しており長手方向に沿って延びている第２切刃と、を有する。
【図面の簡単な説明】
【０００６】
【図１】図１は、本開示の一実施形態に係る固定器具を示す斜視図である。
【図２】図２は、図１の固定器具の一部を拡大して示す図である。
【図３】図３は、図１の固定器具の固定状態を示す斜視図である。
【図４】図４は、図１の固定器具の第１部位を長手方向に垂直な方向からみた図である。
【図５】図５は、図４の固定器具における第１孔の周辺を拡大して示す図である。
【図６】図６は、本開示の一実施形態に係る穿孔器具セットの穿孔器具を示す斜視図である。
【図７】図７は、図６の穿孔器具における穿孔部の周辺を拡大して示す図である。
【図８】図８は、図６の穿孔器具を穿孔部の長手方向に垂直な方向からみた図である。
【図９】図９は、図８の穿孔器具における穿孔部の周辺を拡大して示す図である。
【図１０】図１０は、図６の穿孔器具における穿孔部の第１端に向かってみた状態を拡大して示す図である。
【図１１】図１１は、本開示の一実施形態に係る穿孔方法の一工程を示す概略図である。
【図１２】図１２は、図１１の工程の一部を拡大して示す図である。
【図１３】図１３は、本開示の一実施形態に係る穿孔方法の一工程を示す概略図である。
【図１４】図１４は、図１３の工程を別の方向からみた状態を示す概略図である。
【図１５】図１５は、本開示の一実施形態に係る穿孔方法の一工程を示す概略図である。
【発明を実施するための形態】
【０００７】
＜固定器具＞
以下、本開示の一実施形態に係る固定器具について、図面を用いて詳細に説明する。但し、以下で参照する各図は、説明の便宜上、実施形態を説明する上で必要な主要部材のみを簡略化して示したものである。したがって、本開示の固定器具は、参照する各図に示されていない任意の構成部材を備え得る。また、各図中の部材の寸法は、実際の構成部材の寸法及び寸法比率などを忠実に表したものではない。これらの点は、後述する穿孔器具セットなどにおいても同様である。
【０００８】
本実施形態の固定器具１は、図１〜図５に示すように、固定部２及び第１孔３を備えている。
【０００９】
固定部２は、被穿孔物を固定する部位として機能する。固定部２は、第１部位２１及び第２部位２２を有しており、被穿孔物を第１部位２１と第２部位２２との間に挟んで固定する部位である。被穿孔物としては、例えば、メンブレン（膜）又はシートなどが挙げられる。
【００１０】
第１孔３は、穿孔器具の穿孔部をガイドする部位として機能する。第１孔３は、第１部位２１をその厚み方向に貫通しており、穿孔器具の穿孔部が挿入される部位である。穿孔器具としては、例えば、パンチ器具、ドリル又は後述する穿孔器具６などが挙げられる。穿孔部とは、穿孔器具のうち被穿孔物を穿孔する部位のことである。
【００１１】
本実施形態の固定器具１によれば、上述した構成を有することから、被穿孔物を穿孔するときに被穿孔物が損傷する可能性を低減することができる。この点について、被穿孔物が歯科用メンブレンである場合を例にとって具体的に説明する。パンチ器具などの一般的な医療用の穿孔器具は、革製品などを穿孔するときに使用する針を刺すタイプと同じ構成のものが多い。歯科用メンブレンは、通常、紙又は不織布などよりも穿孔しにくい部材である。そのため、一般的な医療用の穿孔器具を使用して歯科用メンブレンを穿孔すると、例えば、巻き込み、皺の発生、破れなどの不具合が生じて歯科用メンブレンを損傷することがある。歯科用メンブレンを第１部位２１と第２部位２２との間に挟んで固定した状態で、第１孔３に穿孔器具の穿孔部を挿入して歯科用メンブレンを穿孔すると、穿孔状態が安定することから、歯科用メンブレンをスムーズに穿孔することができる。その結果、歯科用メンブレンを穿孔するときに上述した不具合が生じにくくなり、歯科用メンブレンが損傷する可能性を低減することができる。
【００１２】
固定部２は、図１及び図３に示すように、第１部位２１及び第２部位２２がいずれも、基端部２１２、２２２から先端部２１１、２２１にかけて延びる板状であってもよい。このとき、基端部２１２、２２２同士を互いに固定し、被穿孔物を互いに向かい合う先端部２１１、２２１の間に挟んで固定するようにしてもよい。そして、第１孔３が、第１部位２１の先端部２１１に位置していてもよい。これらの構成を満たすときは、比較的観点な構成で被穿孔物を第１部位２１と第２部位２２との間に挟んで固定することができる。また、固定部２がピンセット状になることから、固定器具１の取り扱い性の向上が図れる。なお、固定部２の構成は、被穿孔物を第１部位２１と第２部位２２との間に挟んで固定できる限り、上述した実施形態に限定されるものではない。
【００１３】
本実施形態の第１孔３は、円筒状である。第１孔３の内径は、例えば、１．４〜２．６ｍｍである。なお、第１孔３の形状及び内径は、穿孔部を挿入できる限り、上述した実施形態に限定されるものではない。
【００１４】
固定器具１は、図１及び図２に示すように、第２部位２２に位置しており、穿孔部が挿入される第２孔４を更に備えていてもよい。このような構成を満たすときは、穿孔部が第１孔３に加えて第２孔４にもガイドされることから、穿孔状態の安定性の向上が図れる。また、穿孔部とのせん断力によって被穿孔物を穿孔しやすくなる。なお、本実施形態では、第２孔４が第２部位２２をその厚み方向に貫通しているが、第２孔４は第２部位２２を貫通していなくてもよい。
【００１５】
第２孔４は、被穿孔物を第１部位２１と第２部位２２との間に挟んだときに被穿孔物を介して第１孔３と連続してもよい。言い換えれば、第１孔３が、第１部位２１の先端部２１１に位置しており、第２孔４が、第２部位２２の先端部２２１に位置していてもよい。このような構成を満たすときは、第２孔４による穿孔部のガイド性の向上が図れる。
【００１６】
固定器具１は、図１〜図５に示すように、第１部位２１及び第２部位２２のうち少なくとも一方に位置している第１孔３の位置決め部５を更に備えていてもよい。このような構成を満たすときは、穿孔される孔の位置に対応する第１孔３の位置決めを正確に行うことができる。
【００１７】
位置決め部５としては、例えば、貫通孔又はスケールなどが挙げられる。本実施形態の固定器具１は、図２に示すように、位置決め部５として、第１部位２１に位置している第１貫通孔５１及び第２部位２２に位置している第２貫通孔５２を有している。第１貫通孔５１の構成と、第２貫通孔５２の構成は、同じであってもよいし、異なっていてもよい。
【００１８】
なお、第１部位２１及び第２部位２２のそれぞれに位置決め部５が位置しているとき、一方の位置決め部５の種類と、他方の位置決め部５の種類は、同じであってもよいし、異なっていてもよい。また、位置決め部５の数は、複数であってもよい。例えば、位置決め部５として貫通孔及びスケールの２つが、第１部位２１及び第２部位２２のうち少なくとも一方に位置していてもよい。
【００１９】
固定器具１の材質としては、例えば、チタン又はステンレスなどが挙げられる。
【００２０】
＜穿孔器具セット＞
次に、本開示の一実施形態に係る穿孔器具セットについて、図６〜図１０を参照して詳細に説明する。
【００２１】
本実施形態の穿孔器具セット１００は、上述した固定器具１と、図６〜図１０に示す穿孔器具６を備えている。
【００２２】
本実施形態の穿孔器具６は、固定器具１の第１孔３に挿入される穿孔部７を備えている。穿孔部７は、被穿孔物を穿孔する部位として機能する。穿孔部７は、図７及び図９に示すように、第１端７１から第２端７２にかけて延びる形状である。言い換えれば、穿孔部７は、柱状である。なお、第１端７１は、穿孔部７の長手方向ａの一端に位置している。第１端７１は、平面であってもよい。第２端７２は、長手方向ａの他端に位置している。本実施形態では、穿孔部７の外周部７３が、第１端７１及び第２端７２のそれぞれと接続している。
【００２３】
穿孔部７の大きさは、次のような値に設定できる。図６〜図９に示す穿孔部７の長手方向ａに平行な方向における穿孔部７の長さは、例えば、２〜５ｍｍである。穿孔部７の直径は、例えば、１．４〜２．６ｍｍである。なお、穿孔部７の大きさは、例示した数値範囲に限定されるものではない。
【００２４】
穿孔部７は、図７及び図９に示すように、第１切刃７４及び第２切刃７５を有している。
【００２５】
第１切刃７４は、主として被穿孔物を穿孔する切刃として機能する。本実施形態の第１切刃７４は、第１端７１側に位置している。
【００２６】
第２切刃７５は、主としてバリを除去する切刃として機能する。第２切刃７５は、第１切刃７４よりも第２端７２側の外周部７３に位置している。また、第２切刃７５は、長手方向ａに沿って延びている。第２切刃７５が長手方向ａに沿って延びているとは、第２切刃７５が長手方向ａに平行である構成のみならず、第２切刃７５が長手方向ａに対して傾斜している構成をも含む概念である。
【００２７】
本実施形態の穿孔器具６によれば、上述した構成を有することから、穿孔とバリの除去を１つの器具で効率よく行うことができる。具体的に説明すると、穿孔器具６によれば、まず、穿孔部７の第１切刃７４によって被穿孔物を穿孔することができる。また、被穿孔物を穿孔したときにバリが発生することがある。このようなときは、穿孔部７を穿孔した孔に挿入した状態で、穿孔器具６をその回転軸Ｓを基準に回転させれば、第２切刃７５によってバリを除去することができる。すなわち、穿孔でバリが発生したときは、穿孔した孔から穿孔部７を抜き出すことなく第２切刃７５によってバリを除去することができる。したがって、穿孔器具６によれば、バリを除去するときは穿孔した孔から穿孔器具６を一旦抜き出してピンセットなどの他の器具を使用する必要がなく、穿孔とバリの除去を１つの器具で効率よく行うことができる。
【００２８】
一方、第１切刃７４は、第１端７１と外周部７３との交線部に位置していてもよい。このような構成を満たすときは、バリが発生するとき、比較的大きなサイズのバリが１つ発生する傾向がある。このようなバリは除去しやすいことから、バリの除去性の向上が図れる。また、バリの除去性の向上に伴って、バリを除去するときに穿孔した孔を損傷する可能性を低減することができる。
【００２９】
本実施形態の第１切刃７４は、図１０に示すように、円環状である。それゆえ、本実施形態では、被穿孔物に円形状の孔を穿孔することができる。なお、第１切刃７４の形状は、円環状に限定されるものではなく、他の形状であってもよい。
【００３０】
第２切刃７５は、図７及び図９に示すように、第１切刃７４から離れて位置していてもよい。このような構成を満たすときは、外周部７３のうち第１切刃７４から第２切刃７５にわたる第１領域７３１が、固定器具１の第１孔３にガイドされる部位として機能するようになるので、穿孔するときの穿孔器具６の安定性の向上が図れる。
【００３１】
穿孔部７は、第２切刃７５を複数有していてもよい。このような構成を満たすときは、複数の第２切刃７５によってバリを効率よく除去することができるので、バリの除去性の向上が図れる。第２切刃７５を複数有するとき、その数は、例えば、２〜６である。複数の第２切刃７５のそれぞれの構成は、同じであってもよいし、異なっていてもよい。
【００３２】
本実施形態では、外周部７３のうち第１切刃７４から第２切刃７５にわたる第１領域７３１が、円柱状である。また、外周部７３のうち第２切刃７５が位置している第２領域７３２が、角柱状である。より具体的には、第２領域７３２が、四角柱状である。そして、第２領域７３２において、隣り合う２つの面の交線部に第２切刃７５が位置している。なお、第１領域７３１、第２領域７３２及び第２切刃７５のそれぞれの形状は、上述した実施形態に限定されるものではない。
【００３３】
穿孔器具６は、図６〜図１０に示すように、グリップ８を更に備えていてもよい。このような構成を満たすときは、グリップ８が術者の手で握られる部位として機能することから、穿孔器具６の操作性の向上が図れる。
【００３４】
グリップ８は、図７、図９及び図１０に示すように、穿孔部７の断面積よりも面積が大きい端部８１を有しており、端部８１において穿孔部７の第２端７２側に接続していてもよい。このような構成を満たすときは、固定器具１の第１孔３に穿孔部７を挿入したときに端部８１がストッパーとして機能することから、穿孔した孔に穿孔器具６が必要以上に挿入される可能性を低減することができる。なお、穿孔部７の断面積は、穿孔部７の長手方向ａに垂直な方向における断面積のことである。穿孔部７の断面積を評価するときは、その最大値を基準にすればよい。
【００３５】
本実施形態のグリップ８は、略円柱状であるが、グリップ８の形状は、略円柱状に限定されるものではない。また、グリップ８は、穿孔部７に直接接続していてもよいし、他の部位を介して穿孔部７に接続していてもよい。
【００３６】
穿孔部７及びグリップ８は、一体に成形されていてもよい。このような構成を満たすときは、穿孔部７とグリップ８の接続強度の向上が図れる。一体に成形されているとは、部品毎に加工した後に溶接などの接合手段を使用して一体化されているのではなく、接合手段を使用することなく同一材料から成形体全体が一体的に作製されている状態のことである。一体に成形する方法としては、例えば、切削加工などが挙げられるが、これに限定されるものではない。なお、穿孔部７及びグリップ８は、必要に応じて別部材で構成されていてもよい。
【００３７】
穿孔器具６の材質としては、例えば、チタン又はステンレスなどが挙げられる。
【００３８】
＜穿孔方法＞
次に、本開示の一実施形態に係る穿孔方法について、被穿孔物が歯科用メンブレンである場合を例にとって、図１１〜図１５を参照して詳細に説明する。
【００３９】
本実施形態に係る穿孔方法は、以下の（１）〜（３）の工程を備えている。
（１）図１１及び図１２に示すように、歯科用メンブレン２００（以下、「メンブレン２００」ということがある。）を固定器具１の第１部位２１と第２部位２２との間に挟んで固定する工程。
（２）図１３及び図１４に示すように、穿孔器具６の穿孔部７を固定器具１の第１孔３に挿入してメンブレン２００を穿孔する工程。
（３）図１５に示すように、穿孔部７を第１孔３から抜き出す工程。
【００４０】
具体的に説明すると、（１）の工程では、まず、メンブレン２００を準備する。メンブレン２００は、以下のように構成されている。
【００４１】
メンブレン２００は、図示しない複数の孔を備えている。孔は、メンブレン２００をその厚み方向に貫通している。孔の直径は、例えば、０．１〜５００μｍである。孔は、細胞外液透過性及び細胞組織不透過性を有している。細胞外液とは、体液のことである。体液としては、例えば、血液又はリンパ液などが挙げられる。細胞組織とは、複数の細胞及び細胞外マトリックスから構成される生体組織であって、軟組織及び硬組織のことである。軟組織としては、例えば、歯肉組織、皮膚組織、脂肪組織、筋肉組織又は血管などが挙げられる。硬組織としては、例えば、骨組織などが挙げられる。
【００４２】
メンブレン２００は、保形性及び生体親和性を有する金属箔からなる。保形性とは、メンブレン２００を変形させたとき、その形状を保持できる性質のことである。生体親和性とは、生体組織と接触したときに実質的に害がなく、生体組織になじみやすい性質のことである。
【００４３】
金属箔の材質としては、例えば、純度９９質量％以上の純チタン、チタン合金、ステンレス、コバルト−クロム合金、コバルト−クロム−モリブデン合金、タンタル、ジルコニウム、金又は白金などが挙げられる。金属箔の材質が純度９９質量％以上の純チタン又はチタン合金であるとき、メンブレン２００は、いわゆるチタンメッシュ（歯科用チタンメンブレン）になる。
【００４４】
メンブレン２００の厚さは、例えば、５〜１００μｍである。
【００４５】
上述したメンブレン２００を、図１１に示すように、固定器具１の第１部位２１と第２部位２２との間に挟んで固定する。このとき、上述した位置決め部５を使用して第１孔３を位置決めしてもよい。具体的には、例えば、図１２に示すように、位置決め部５である第１貫通孔５１からメンブレン２００の縁部２０１を露出させて、第１孔３を位置決めしてもよい。
【００４６】
次に、図１１に示すように、穿孔器具６を矢印Ｘ１方向に移動させることによって、メンブレン２００に穿孔器具６を相対的に近付ける。そして、図１３及び図１４に示すように、穿孔器具６の穿孔部７を固定器具１の第１孔３に挿入して、穿孔部７の第１切刃７４でメンブレン２００を穿孔する。バリが発生したときは、穿孔部７を穿孔した孔に挿入した状態で、穿孔器具６を回転軸Ｓを基準に矢印Ｙ１又はＹ２方向に回転させて、上述した第２切刃７５でバリを除去する。
【００４７】
最後に、図１５に示すように、穿孔器具６を矢印Ｘ２方向に移動させることによって、穿孔部７を第１孔３から抜き出す。
【００４８】
本実施形態に係る穿孔方法によれば、穿孔器具セット１００を使用することから、メンブレン２００が損傷する可能性を低減しつつ、メンブレン２００に対する穿孔とバリの除去を効率よく行うことができる。
【００４９】
なお、本実施形態では、穿孔器具６を動かすことによってメンブレン２００を穿孔しているが、これに限定されるものではない。例えば、（２）の工程では、メンブレン２００を穿孔器具６に近付けてもよい。同様に、（３）の工程では、メンブレン２００を穿孔器具６から遠ざけてもよい。穿孔を継続する場合には、メンブレン２００の異なる箇所を固定器具１の第１部位２１と第２部位２２との間に挟んで固定し、穿孔器具６を使用してメンブレン２００を穿孔する工程を繰り返せばよい。
【００５０】
また、本実施形態では、被穿孔物としてメンブレン２００を使用したが、これに代えて、例えば、歯科用シートなどを被穿孔物としてもよい。歯科用シートとしては、例えば、ナイロン製又はゴアテックス（登録商標）製の歯科用不織布などが挙げられる。
【００５１】
以上、本開示に係る実施形態について例示したが、本開示は上述した実施形態に限定されるものではなく、本開示の要旨を逸脱しない限り任意のものとすることができることはいうまでもない。
【符号の説明】
【００５２】
１・・・固定器具
２・・・固定部
２１・・・第１部位
２１１・・・先端部
２１２・・・基端部
２２・・・第２部位
２２１・・・先端部
２２２・・・基端部
３・・・第１孔
４・・・第２孔
５・・・位置決め部
５１・・・第１貫通孔
５２・・・第２貫通孔
１００・・・穿孔器具セット
６・・・穿孔器具
７・・・穿孔部
７１・・・第１端
７２・・・第２端
７３・・・外周部
７３１・・・第１領域
７３２・・・第２領域
７４・・・第１切刃
７５・・・第２切刃
ａ・・・長手方向
８・・・グリップ
８１・・・端部
Ｓ・・・回転軸
２００・・・歯科用メンブレン
２０１・・・縁部
【図１】
2019063171.tif 000003
【図２】
2019063171.tif 000004
【図３】
2019063171.tif 000005
【図４】
2019063171.tif 000006
【図５】
2019063171.tif 000007
【図６】
2019063171.tif 000008
【図７】
2019063171.tif 000009
【図８】
2019063171.tif 000010
【図９】
2019063171.tif 000011
【図１０】
2019063171.tif 000012
【図１１】
2019063171.tif 000013
【図１２】
2019063171.tif 000014
【図１３】
2019063171.tif 000015
【図１４】
2019063171.tif 000016
【図１５】
2019063171.tif 000017